(57)【要約】  本発明によると、回転する円筒体（１）が、少なくとも２つの位置にそれぞれ設けられている。発光素子を有する複数のストリップ（３）と、スキャナのストリップに似た記録システムを有する複数のストリップ（２）とが、前記回転する円筒体（１）に装着されており、一方の円筒体の周囲が、他方の円筒体の周囲に表示されることができ、視覚的な接触が可能である。本発明のシステムは、例えば、前後に移動される回転バンドもしくはプレートに、平面的に形成されることもできる。このようなシステムは、３次元表示のために形成されることもできる。
2009521826.tif 000002
【特許請求の範囲】
【請求項１】
各々が、少なくとも１つの記録システムと、少なくとも１つの再生システムとを有する、少なくとも２つの位置での双方向画像記録および再生のためのシステムにおいて、
前記再生システムは、発光ダイオード、ＬＣＤ素子、ＴＦＴ素子のような発光素子の複数よりなる、少なくとも１つのストリップ（３）によって形成され、また、
前記記録システムは、走査により記録される画像のストリップを検出し、
これらシステムは、前後方向、もしくは所定の軌道に沿って移動され、この移動の間、移動方向が、前記両方のストリップの方向とは異なり、好ましくは、この移動方向にほぼ直交する方向であり、
複数の再生システムのストリップ（３）と、複数の記録システムのストリップ（２）との場合、これら記録システムのストリップ（２）は、それぞれ前記再生システムのストリップ（３）間に配置され、
これらシステムの移動速度は、連続して続く前記再生システムのストリップ（３）を通過する間の時間と、連続して続く前記記録システムのストリップ（２）を通過する間の時間とが、人間の目の分解能よりも短くなるように、高速であるように選択されることを特徴とするシステム。
【請求項２】
軸を中心に回転するように、回転体の形態で設計され、
この回転体の外面が、前記再生システムのストリップ（３）を支持していることを特徴とする請求項１のシステム。
【請求項３】
前記回転体は、球体であることを特徴とする請求項２のシステム。
【請求項４】
前記回転体は、垂直な円筒体（１，１’）であることを特徴とする請求項２のシステム。
【請求項５】
スキャナバーの形態の前記記録システムのストリップ（２）が、それぞれ前記再生システムのストリップ（３）間に取着され、
前記スキャナバーの各々の素子（２ａ，２ｂ，２ｃ）は、これら素子の方向の延長部が、前記円筒体の軸（４）の範囲でほぼ交わるように、一方向に集まることを特徴とする請求項４のシステム。
【請求項６】
複数の透明なストリップ（２’’）が、それぞれ前記再生システムのストリップ（３）間に設けられ、
複数の鏡（８）が、前記透明なストリップ（２’’）の後ろ側に取着され、また、
１つのレンズ（５’）に対して複数のスキャナバー（６’）が、前記透明なストリップ（２’’）と前記鏡（８）との間に取着され、これら鏡（８）から前記スキャナバー（６’）への間隔は、前記円筒体の軸（４）から前記鏡（８）への間隔にほぼ一致していることを特徴とする請求項４のシステム。
【請求項７】
平面内の所定の範囲に延びている、可撓性の回転バンド（９）の形態で設計され、
前記記録システムのストリップ（２）並びに前記再生システムのストリップ（３）は、画像記録並びに画像再生が前記平面の範囲内で起こるように、この平面の範囲内で作動されることを特徴とする請求項１のシステム。
【請求項８】
往復運動をする平面（９’）として構成されていることを特徴とする請求項１のシステム。
【請求項９】
中間点（２１）を中心に回転するストリップの形態で、もしくはディスクの形態で構成され、この回転の間、回転軸が、前記ストリップ、もしくは前記ディスクに直交するように延びていることを特徴とする請求項１のシステム。
【請求項１０】
前記記録システム並びに前記再生システムが、３次元表示のために設計されていることを特徴とする請求項１ないし８のいずれか１のシステム。
【発明の詳細な説明】
【技術分野】
【０００１】
本発明は、各々が、少なくとも１つの記録システムと、少なくとも１つの再生システムとを有する、少なくとも２つの位置での双方向画像記録および再生のためのシステムに関する。
【背景技術】
【０００２】
このようなシステムは、国際公開第２００４／００２１５１号（米国特許第７，３８５，６２３号）により知られている。記録システムと再生システムとの各々の位置は、自身の軸を中心に回転する垂直な円筒体に設けられている。この円筒体は、画像投影のためのマット（ｍａｔｔｅ）と画像記録のための透明体とが、交互に配置されている複数の垂直方向のストリップを有する。
【０００３】
固定テレビカメラが、全体に沿って全水平範囲（３６０°）が記録されるように、異なる方向で画像を記録する円筒体の中央部に装着されている。さらに、各々の局（ｓｔａｔｉｏｎ）は、このような円筒体の中央部に設けられている複数の固定プロジェクタを有し、各々のプロジェクタは、マットのストリップに、他の局の対応するカメラの画像を投影する。このような円筒体は高速で回転するので、ストリップの移動は、人間の目で認識されない。それ故、このようなカメラは、高速で通過する透明なストリップによって、十分に均一に明るくされる。複数のプロジェクタから放射される光は、パーティションのために同じ局の複数のカメラを通ることができないので、ここでは妨害が起こらない。
【０００４】
このようにして、他の円筒体の全周囲の状況が、各々の円筒体の全周囲で見られる。音も伝達されれば、他の柱体の正面で人と話すことが可能である。また、このような記録は再生領域で起こるので、視覚的な接触が可能なことが特に強調されるであろう。
【０００５】
通常の会議のシステムでは、会話中の各々のパートナーは、個人のモニタを見ているが、この各々のパートナーは、モニタの上側、下側または側面に設置されているカメラによって記録されている。従って、このようなシステムでは、会話のパートナーとの視覚的な接触ができず、この結果、実際の生活状態ではないような画像を生じてしまう。このような欠点は、国際公開第２００４／００２１５１号によって、既に取り除かれている。しかし、このシステムは、画面のちらつきがオブザーバによって認識され得ないように滑らかにするために、カメラ間に転換領域を作るのが難しいという問題を有する。
【発明の開示】
【０００６】
本発明の目的は、比較的少ない技術の複雑さで処理することができ、異なる画像間で認識され得る転換がないようにして、このような欠点を取り除くことと、上述のような形態のシステムを改良することとである。
【０００７】
このような目的は、上述の形態のシステムにより、以下のように、本発明に従って達成される。再生システムが、発光ダイオード、ＬＣＤ素子、ＴＦＴ素子のような発光素子の複数よりなる、少なくとも１つのストリップによって形成されている。また、記録システムが、走査により記録される画像のストリップを検出する。これらシステムは、前後方向、もしくは所定の軌道に沿って移動され、この移動の間、移動方向は、前記両方のストリップの方向とは異なり、好ましくは、この移動の方向にほぼ直交する方向である。複数の再生システムのストリップと複数の記録システムのストリップとの場合、これら記録システムのストリップは、それぞれ前記再生システムのストリップ間に配置され、これらシステムの移動速度は、連続して続く前記再生システムのストリップの通過の間の時間と、連続して続く前記記録システムのストリップの通過の間の時間とが、人間の目の分解能よりも短くなるように、高速であるように選択される。
【０００８】
従って、本発明によると、固定記録システムも固定再生システムもない。両システムは、移動される。この結果、テレビカメラは、水平方向にも垂直方向にも、所定の画像のセクションを走査する必要がない。スキャナバー（もしくは複数のレンズを有するインライン配列）の形態は、１次元のみで画像を走査するのに十分であり、他の次元では、走査は、システムを移動させることによって起こる。
【０００９】
２つの局が同じようにして構成され、同時に移動するならば、再生は非常に簡単である。再生システムのストリップの各々のピクセルは、他の局の対応する記録システムのストリップのそれぞれのピクセルに対応する情報の再生のみを必要とする。
【００１０】
本発明の一実施の形態によると、このシステムは、回転体の形態で設計され、この本体は、本体の軸を中心に回転し、本体の軸の外面が、前記再生システムのストリップを支持する。国際公開第２００４／００２１５１号により知られているように、この回転体は、好ましくは、球体または垂直な円筒体である。
【００１１】
しかし、このような絶対的な必要性はない。原理的には、軸を中心として軌道を描く単一のストリップであれば十分である。このストリップは、半円形状を有することができ、この半円の両端部を通って前記垂直軸が延びている。もしくは、このストリップは、平面状であり、水平になるように、垂直方向に延び、２つの水平方向の平板によって前記垂直なシャフトに接続されている。しかし、不均衡さを生じさせないようにするために、２つの対向するストリップを設けることがより好ましいので、完全なストリップまたは矩形に帰する。
【００１２】
もちろん、この配置は、前記シャフトが垂直でないように変更され得る。これは、全ての実施の形態に適用される。
【００１３】
スキャナバーの形態で、複数の記録システムのストリップが、複数の再生システムのストリップ間に取着されると、これらスキャナバーの全ての素子は、これらの方向の延長部が、前記円筒体の軸でほぼ交わるように同じ方向に集束することが、垂直な円筒体の効果である。物体のサイズを減少させるこの様態は、前記円筒体からの間隔の増加に対して、垂直方向でも水平方向でも同じであるので、ゆがみが生じない。球体の場合、各々の素子がこの球面に垂直な方向に焦点が合うならば、本体が回転するのに従って、この態様は、自動的に生じる。
【００１４】
代わって、複数の透明なストリップが、それぞれ前記再生システムのストリップ間に設けられることも可能である。複数の鏡が、前記透明なストリップの後ろ側に取着され、また、１つのレンズに対して複数のスキャナバーが、これら透明なストリップと鏡との間に取着されている。これら鏡から前記スキャナバーへの間隔は、前記円筒体の軸から前記鏡への間隔にほぼ一致している。従って、１つのレンズがあれば、前記スキャナに検出される画像を十分に投影できる。前記鏡からの間隔が、回転軸から鏡への間隔に一致するとき、前記スキャナレンズの主要点は、物体が非常に小さくても、この円筒体からの間隔の増加に対して、垂直方向および水平方向で同じであるので、回転軸で見え、この結果、ゆがみが生じない。
【００１５】
本発明の他の実施の形態では、このシステムは、平面内の所定の範囲に延びている、回転する可撓性のバンドの形態で設計され、前記記録システムのストリップ並びに前記再生システムのストリップは、画像記録並びに画像再生が前記平面の範囲内で起こるように、この平面の範囲内で作動される。
【００１６】
代わって、平面画像を再生するために、このシステムは、往復運動をする平面として設計されても良い。往復運動が避けられるべきならば、このシステムは、中間点を中心に回転するストリップの形態で、もしくはディスクの形態で構成され、この回転の間、回転軸が、前記ストリップ、もしくは前記ディスクに直交するように延びている。
【００１７】
最後に、前記記録システム並びに前記再生システムが、特別な表示のために設計されることが可能である。
【発明を実施するための最良の形態】
【００１８】
図１は、垂直軸を有する円筒体１を示している。複数の記録システムのストリップ２と、複数の再生システムのストリップ３とが、この円筒体の外周に交互に配置されている。図１では、これらストリップは、垂直に、即ち円筒体１の前記軸に平行に延びている。しかし、これらストリップは、いかなる角度に傾斜して延びていても良い。これは、図２に示されており、ここでは、１つの記録システムのストリップ２’が、円筒体１’の表面に傾斜して延びている。もちろん、図１に示されているように、さらなる複数の記録システムのストリップも、ここに在り、また、複数の再生システムのストリップも、これら記録システムのストリップの間にまた在る。円筒体１、１’の回転は、１つの記録システムのストリップ２と、１つの再生システムのストリップ３とに渡って、これら円筒体の表面の各々の点を交互に通過することが重要である。従って、図１で選択されている構成では、これらストリップは、回転の方向に延びてはならない、即ち、水平方向に位置してはならない。
【００１９】
全く別の光発生素子が、前記再生システムのストリップに取着されることができる。大きな円筒体の場合、ＬＥＤが最も適切である。なぜならば、画像が、日光中でさえも人間の目によって容易に認識され得るように、ＬＥＤは、この技術の実現可能性を与える最も強力な光源であると見なされているからである。しかし、液晶ディスプレイ（ＬＣＤ）技術、プラズマディスプレイ（ＰＤＰ）技術、レーザ技術、ＴＦＴ等のような他の技術でも良い。
【００２０】
例えば、重畳させた４８０個のＬＥＤが、各々のストリップ３に設けられることができる。カラー画像のためには、赤、青および緑の３個のＬＥＤが、互いに隣接するように、常に設けられなければならない。これは、１４４０個のＬＥＤに帰する。これらに代わって、マルチカラーの方法で制御され得るＬＥＤが使用されても良い。
【００２１】
解像度をさらに高めることを望むならば、隣接するストリップ３のＬＥＤは、ＬＥＤの垂直方向の間隔に半分だけずらすことができる。これは、前記円筒体１の回転の間、全部で９６０本の線に帰する。
【００２２】
ＣＲＴモニタへの光発生と同じようにして光を発生させることも、基本的には考えられる。この方法では、電子ビームは、ここでは一方向に（回転の方向に対して垂直に、即ち、回転軸に平行に）のみ偏向される、もしくは、逆行（ｒｅｔｒｏｇｒａｄｅ）投影のプロジェクタ（ｂｅａｍｅｒ）の光学ビームは、この方向にのみ偏向される。同様に、ＬＥＤの逆行投影が可能であり、しかしまた、逆向き（ｂａｃｋ）投影の３つの異なる色のレーザの使用も可能である。
【００２３】
記録システムのストリップ２は、これらストリップの外側に、平面スキャナで使用されるようなスキャナバーにかなり類似している複数の感光性素子を有することができる。各々の感光性素子が光を受けることができる方向は、異なっている。平面スキャナでは、全ての感光性素子は、同じ方向を向き、ここでの場合では望ましくない。前記円筒体１の回転は、水平方向の入射ビームに対して、この円筒体の軸上でオブザーバの位置に帰してしまう。ゆがみを避けるために、この場合は不変ビームとすべきである。この理由のために、図３に概略的に示されている構成が採用される。図３では、個々のセンサが、３つのセンサ２ａ、２ｂ、２ｃ（１つは上部に、１つは中央部に、１つは下部に配置されている）のみが示され得るように、大きく拡大されて示されている。しかし、センサの数は、実際にはＬＥＤの数に対応し、即ち、例えば４８０個のセンサが、重畳されるようにして配置されている。
【００２４】
各々のセンサ２ａ、２ｂ、２ｃは、コレクタレンズ５と、感光性素子６とを有する。このコレクタレンズ５は、所定の方向からの平行ビームを、前記感光性素子６上に集束させる。ゆがみを避けるために、これら方向（図３に点線で描かれている）の逆方向の延長部は、前記円筒体の軸４上で交わるべきである。
【００２５】
カラー伝送のために、３つの記録センサ（１つは赤色の光を感知し、１つは緑色の光を感知し、さらに１つは青色の光を感知する）が、もちろん、互いに隣接して設けられなければならない。比較的高い解像度のために、このセンサは、もちろん、線の数を増加させるように、隣接する記録システムのストリップに対して垂直方向の間隔を半分だけ垂直方向にずらして配置させることができる。
【００２６】
１つの局に他の局の周縁部を表示するために、最も簡単な場合、これら２つの局の前記円筒体を同期して動作させ、かつ対応する記録システムのストリップに対応するセンサの信号で再生システムのストリップ３のＬＥＤを制御させれば十分である。
【００２７】
実際には、少なくともＲＧＢ３組の各々の信号（即ち赤色感知、緑色感知および青色感知センサ）が、もちろん、一緒に評価され、色、輝度およびコントラストに対して最適化され、再生されるであろう。総合評価と、像全体の最適化とが、もちろんより良い。これらセンサの（最適化された）信号は、もちろん、単一の線によって多重送信処理で送られる。
【００２８】
このシステムの大きな効果は、既存のテレビの基準から完全に独立しているという事実である。必要であれば、ＬＥＤおよび光感知センサの数が、各々の適用装置に対して最適なように選択されることができ、従って、必要であれば、非常に高品質の伝送（高い解像度）がなされ得る。同様のことが、もちろん、前記ストリップ２および３の数と、円筒体１の速度とにも当てはまる。
【００２９】
前記ストリップ２並びに３の数は、円筒体１の必要な速度を決定する。目が、個々のストリップ２並びに３を認識できるようにすべきではなく、従って、２つのストリップ３の通過の間に経過する時間は、１／５０秒よりも短くされるべきである。１０個のストリップ３の場合、円筒体１に対して、１秒に５回転する。レーザの回転速度は、光感知性が多くのストリップによって増加されるように、前記センサを長い時間照射させるように設定される。
【００３０】
図４から明らかなように、前記センサは、記録システムのストリップ２’’に直接取着される必要はない。これら記録システムのストリップ２’’は、ここでは円筒体１の単なる透明なストリップである。前記再生システムのストリップ３は、ＬＥＤ７によって認識可能なように形成されている。これら記録システムのストリップ２と再生システムのストリップ３との間の境界は、点線によって示されている。
【００３１】
鏡８が、前記記録システムのストリップ２’’の後ろ側に位置している。この鏡は、前記記録システムのストリップ２’’を通過して入る光を、前記センサのストリップ６’に光を映すレンズ５’に、反射する。従って、１つのレンズ５’（もしくは１つのレンズシステム）のみが、ここでは、全てのセンサのストリップ６’に対して在り（また、各々のセンサに対して１つのレンズはない）、通常のテレビカメラ、もしくは写真設備にかなり類似している。前記鏡８からレンズ５’への間隔は、前記円筒体の軸４から鏡８への間隔にほぼ一致している。従って、前記レンズ５’は、円筒体の軸４上にほぼ見え、ゆがみを避けるために好ましい。前記センサ６’自体がビームの経路にないようにするために、前記鏡８は、幾分角度があるような斜角で示されている。もちろん、この鏡８は、角度を大きくする、もしくは小さくすることができる。
【００３２】
前記鏡８が設けられている理由は、空間の問題からである。図４には、１つのセンサのストリップ６’のみが示されているが、もちろん、このようなセンサのストリップ６’は、それぞれの記録システムのストリップ２’’に対して必要である。ここでは、空間の理由のために、前記円筒体の軸４付近に全ての前記センサのストリップ６’を取着することができない。従って、前記センサのストリップ６’とレンズ５’とが、前記円筒体の軸４の付近で見えるように、鏡８が使用されている（即ち、これら鏡像は、円筒体の軸４の付近に位置している）。
【００３３】
図５は、一実施の形態を示し、前記記録システムのストリップ２並びに再生システムのストリップ３が、ローラ１０に支持されている環状ベルト９に装着されている。これらローラは、画像記録および画像再生のために使用されることができる真っ直ぐな面を形成している。これは、円筒体１と比較して、正確に平行な全体像の記録が可能である点で異なっている。従って、各記録システムのストリップ２の個々の記録センサは、図３とは異なり、互いに平行に配置されている。
【００３４】
同様の態様が、図６に係る実施の形態に適用される。前記記録システムのストリップ２並びに再生システムのストリップ３は、両方向矢印の方向で、前後に往復運動されるプレート９’に取着されている。
【００３５】
往復運動が避けられるべきであるならば、図８に従う実施の形態が選択され得る。ここで、ストリップは、シャフト２１を中心に回転するように設けられている。記録システムのストリップ２は、連続するストリップであるように、このシャフト２１に対して再生システムのストリップ３に１８０°反転して配置されている。この例では、これらセンサは、図面の面に対して垂直に向いている。
【００３６】
もちろん、いくつかのストリップは、例えば、３０°の角度が、前記記録システムのストリップと再生システムのストリップとの間に形成されるように、設けられることができる。この例では、個々のストリップが取着されているディスクが、効果的に設けられている。
【００３７】
図７に示されているように、円筒体を有する実施の形態は、立体画像再生のために非常に容易に設計され得るという効果を有する。前記記録システムのストリップ２のセンサは、通常、全て径方向の外側に向いている、即ち、この方向から入る光のみを受ける。図７では、２つの隣接するストリップに対するこれらの方向が、１１、１２で示されている。立体画像再生を可能にするために、矢印１３で示されているように、他の角度からの光を受けるさらなるセンサを取着しなければならない。このようなセンサは、これら２つのセンサが視差の変位を検出するように、矢印１２にアライメントされているセンサと同じ方向を向いている。もちろん、このような付加的なセンサは、各々の記録システムのストリップに設けられるべきである。
【００３８】
従って、再生のために２倍のＬＥＤが必要である。最も簡単な場合には、垂直方向のセンサによって制御されるＬＥＤの光が、例えば水平方向のように、所定の方向に偏光され、また、傾斜して向いているセンサによって制御されるＬＥＤの光が、例えば垂直方向のように、前記所定の方向に対して垂直な方向に偏光される。オブザーバが適当な偏光眼鏡をかけていれば、各々の目が、所望の立体効果を得るように、対応するＬＥＤからの光のみを受ける。
【００３９】
偏光眼鏡が避けられるべきであるならば、いわゆるレンズ技術が利用可能である。このような技術のために、多くの文献が利用可能であり、参考文献が、例えば、欧州特許第１５２１４８３号に開示されている。このような刊行物で与えられるようにして、２つ以上（例えば５つ）の記録装置が設けられるならば、各々の記録システムで、前記センサは、光が５つの異なる方向から検出され得るように、５つの異なる方向に配置されても良いことが本発明の範囲内であることは、容易に理解され得る。
【図面の簡単な説明】
【００４０】
【図１】図１は、本発明の第１の実施の形態を示す。
【図２】図２は、傾斜して延びている記録システムのストリップを有する、本発明の第１の実施の形態の他の態様を示す。
【図３】図３は、記録システムのストリップを通る概略断面を示す。
【図４】図４は、本発明の他の実施の形態を通る水平断面を示す。
【図５】図５は、正面図における本発明のさらなる実施の形態を示す。
【図６】図６は、正面図における本発明のさらなる実施の形態を示す。
【図７】図７は、立体画像記録を有する一実施の形態を示す。
【図８】図８は、正面図における本発明のさらなる実施の形態を示す。
【図１】
2009521826.tif 000003
【図２】
2009521826.tif 000004
【図３】
2009521826.tif 000005
【図４】
2009521826.tif 000006
【図５】
2009521826.tif 000007
【図６】
2009521826.tif 000008
【図７】
2009521826.tif 000009
【図８】
2009521826.tif 000010
【国際調査報告】
2009521826.tif 000011
2009521826.tif 000012
2009521826.tif 000013
2009521826.tif 000014